(57)【要約】【課　題】メガネを外して置いたときの置き場所を容易に知ることができる表示器を提供する。【解決手段】クリップをメガネのつるに差し込んで取付けられる表示器は、ボタン電池８がスライド可能に装着される凹所９を有すると共に、発光ダイオード９とブザー１１及びその回路を有している。ボタン電池８は凹所９内をスライドして二位置に切換えられ、そのうちの一方の位置には電極１２が取付けてある。メガネを外し、つるを下向きにすると、ボタン電池８が凹所内をスライドして電極１２に接触し、発光ダイオード９を点燈すると共にブザー１１を鳴らす。つる３を上向きにしてメガネを掛けるときには、ボタン電池８は電極１２より離れ、発光ダイオード９を消すと共に、ブザー１１が鳴り止む。表示器６は装飾体で覆って隠され、アクセサリーとしての形態を呈するようにする。【選択図】　図５
2004133331.tif 000002
【特許請求の範囲】
【請求項１】
レンズが取付けられる枠体と、枠より側方に伸びるつるを備えたメガネの上記つるに取付けられ、メガネをつるを下向きにして置いたとき、発光ダイオードやランプ等の点燈手段が点燈及び若しくはブザーを鳴らすようにしたことを特徴とするメガネの置き場所表示器。
【請求項２】
ボタン電池を有すると共に、該ボタン電池を上下にスライドして二位置に切換可能に支持し、二位置のうち、一方の位置には、発光ダイオードやランプ等よりなる点燈手段の点燈回路及び若しくはブザーの回路が設けられ、ボタン電池が一方の位置に切り換えられたときには上記回路に接続され、点燈手段を点燈及び若しくはブザーを鳴らすようにしたことを特徴とする請求項１記載のメガネの置き場所表示器。
【請求項３】
装飾体で覆われることを特徴とする請求項１又は２記載のメガネの置き場所表示器。
【請求項４】
メガネをつるを下向きにして置く代わりに頭上に持ち上げてつるを上向きにしたとき点燈及び若しくはブザーを鳴らすようにしたことを特徴とする請求項１記載のメガネの置き場所表示器。
【発明の詳細な説明】
【０００１】
【発明が属する技術分野】
本発明は、メガネに取付けられ、メガネの置き場所を容易に知ることができる表示器に関する。
【０００２】
【従来技術】
老眼鏡を例にとっていえば、老眼鏡は新聞などの活字を見るときに掛け、それ以外は外していることが多い。外した老眼鏡は無意識のうち、手近な場所に置き、そのまゝ置き忘れて、必要になったとき探さねばならないことがある。
【０００３】
【発明が解決しようとする課題】
本発明は、メガネのある場所を容易に知ることができるようにするため、メガネに取付けられる表示器を提供しようとするものである。
【０００４】
【課題の解決手段】
請求項１に関わる発明の表示器は、レンズが取付けられる枠体と、枠より側方に伸びるつるを備えたメガネの上記つるに取付けられ、メガネをつるを下向きにして置いたとき、発光ダイオードやランプ等の点燈手段が点燈及び若しくはブザーを鳴らすようにしたことを特徴とする。
【０００５】
図１は、メガネの一例を示すもので、この種のメガネは、レンズ１が取付けられる枠２と、枠２より側方に伸びるつる３を備え、メガネを掛けるときには、つる３を上向きにして掛け、メガネを外して置くときには通常、つる３を下向きにして手近な所、例えばテーブル上に置かれる。本発明は、こうしたつる３を下向きにして置いたとき、表示器が点燈及び若しくはブザーを鳴らすようにしたものである。
【０００６】
請求項２に関わる発明は、請求項１に関わる発明の表示器において、ボタン電池を有すると共に、該ボタン電池を上下にスライドして二位置に切換可能に支持し、二位置のうち、一方の位置には、発光ダイオードやランプ等よりなる点燈手段の点燈回路及び若しくはブザーの回路が設けられ、ボタン電池が一方の位置に切り換えられたときには上記回路に接続され、点燈手段を点燈及び若しくはブザーを鳴らすようにしたことを特徴とする。
【０００７】
請求項３に関わる発明は、請求項１又は２に関わる発明の表示器を、装飾体で覆ったことを特徴とする。
本発明によると、表示器が装飾体で隠され、装飾体で覆われた表示器がメガネのアクセサリーとして見られるようになる。
【０００８】
請求項４に関わる発明は、請求項１に関わる発明において、メガネをつるを下向きにして置く代わりに頭上に持ち上げてつるを上向きにしたとき点燈及び若しくはブザーを鳴らすようにしたことを特徴とする
【０００９】
【発明の実施の形態】
図２は、クリップ５をメガネのつる３に差し込んで取付けられる表示器６を示すもので、該表示器６の表面は図３に示すような装飾体７で覆われ、メガネを掛けたとき表示器６が隠されるようにし、つる３にアクセサリーを取付けた態様をなすようにしている。
【００１０】
表示器６は図４に示すように、ボタン電池８がスライド可能に装着され凹所９を有すると共に、点燈手段としての発光ダイオード９とブザー１１及びその回路を有し、ボタン電池８は凹所９間をスライドして二位置に切換えられ、そのうちの一方の位置には電極１２が取付けてあり、他方の位置は、非導電体としてあるか、或いは凹所１０が広く形成され、ボタン電池８が一方の位置に切換えられたときには、ボタン電池８の電極と上記電極１２の電極同士が接触し、他方の位置に切換られたときには、ボタン電池８の電極が上記非導電体と接触するか、或いは凹所内でボタン電池８の電極との間に間隙を有して装着されるようになっている。
【００１１】
なお図示していないが、上述する装飾体７には、発光ダイオード９に対応する箇所に孔があけられるか、光透過性を有して形成され、発光ダイオードの発光が外部から見えるようにしてある。また表示器６は裏蓋を備え、裏蓋を取外すことによってボタン電池８の取外しや取り換えができるようにしてある。
【００１２】
図５は、上述する発光ダイオード９とブザー１１の回路を示すもので、上記凹所９の一方の位置に対向して設けられる電極１２には、発光ダイオード９とブザー１１の回路が並列して接続され、ボタン電池８が凹所内をスライドして電極１２間に達し、該電極１２と接触すると、発光ダイオード９が点燈すると共に、ブザー１１が鳴るようになっている。
ボタン電池８が電極１２より離れると、発光ダイオード９が消え、ブザー１１が鳴り止む。
【００１３】
本実施形態によると、メガネを外して図３に示すように、つる３を下向きにして適所に置くと、ボタン電池８が凹所内の電極１２に接触して発光ダイオード９が点燈すると共にブザー１１が鳴ることにより、メガネの置き場所を容易に知ることができるようになる。
メガネを掛けるときには、つる３を上向きにして掛けるため、ボタン電池８は電極１２より離れ、これにより発光ダイオード９が消えると共に、ブザー１１が鳴り止む。
【００１４】
図６は、ボタン電池８が装着される凹所１５を斜めに形成した表示器１４示すものである。
メガネを外すとき、時にはずり上げて頭上に掛けた状態にすることがある。この場合、つる３は斜め上向きをなすようになり、これによりボタン電池８が凹所内を降下して図７に示すように電極１６と接し、発光ダイオード９を点燈させると共に、ブザー１１を鳴らす。メガネを使用するときには、つる３はほゞ水平となるが、このときメガネを外して、ボタン電池８が図６に示すように電極１６より外れるようにしておけば、メガネを掛けて首を持ち上げない限り、発光ダイオード９が点燈し、ブザー１１が鳴るようなことはない。
【００１５】
【発明の効果】
請求項１に関わる発明によると、メガネを外してつるを下向きにして置いたときに点燈手段が点燈し、及び若しくはブザーが鳴ることによりメガネの置き場所を容易に知ることができ、置き忘れて探す手間を掛けないようにすることができる。
【００１６】
請求項２に関わる発明のような表示器を構成することによってつるを下向きにしたときに点燈手段が点燈及び若しくはブザーが鳴り、つるを上向きにしたときに点燈手段やブザーが消えるようにすることができる。
請求項３に関わる発明のように、表示器に装飾体を設けることによってメガネのアクセサリーとすることができる。
【００１７】
請求項４に関わる発明によると、メガネを頭上に上げたときもメガネの位置を容易に知ることができ、メガネを掛けたのを忘れてメガネを探すようなことをなくすことができる。
【図面の簡単な説明】
【図１】メガネの斜視図。
【図２】つるに取付けた表示器の部分断面側面図。
【図３】表示器を取付けたメガネの側面図。
【図４】表示器の概略拡大図。
【図５】回路図。
【図６】保持器の別の態様を示す概略図。
【図７】メガネを頭上に持上げたときの保持器を示す図。
【符号の説明】
１・・レンズ
２・・枠
３・・つる
５・・クリップ
６、１４・・表示器
７・・装飾体
８・・ボタン電池
９・・発光ダイオード
１０、１５・・凹所
１１・・ブザー
１２、１６・・電極
【図１】
2004133331.tif 000003
【図２】
2004133331.tif 000004
【図３】
2004133331.tif 000005
【図４】
2004133331.tif 000006
【図５】
2004133331.tif 000007
【図６】
2004133331.tif 000008
【図７】
2004133331.tif 000009